(57)【要約】【課題】本発明は泳ぐ人用の近視メガネを開示した。【解決手段】左右対称の回転箱を含み、前記回転箱の中には回転チャンバが設置され、前記回転チャンバの前側にはトーションバネチャンバが設置され、前記回転チャンバの後側内壁の中には前記トーションバネチャンバの後側内壁を貫通した回転ロッドが回転できるように取り付けられ、前記回転ロッドの前側端面にはトーションバネが固定的に取り付けられ、押しボタンを押して第一ばねを移動連動させ、第一ばねが伝動ロッドによって移動ロッドを移動連動させ、使用者は自分の頭のサイズに応じて水泳メガネベルトの長さを調整でき、水泳メガネベルトは使用者の頭を引き締めすぎて脳が酸素不足などの状況の発生を避け、調整機構は左右のフレームの間の距離を調整できる。【選択図】図１
2020182802.tif 000002
【特許請求の範囲】
【請求項１】
正面視で、左右対称の回転箱を含み、前記回転箱の中には回転チャンバが設置され、前記回転チャンバの前側にはトーションバネチャンバが設置され、前記回転チャンバの後側内壁の中には前記トーションバネチャンバの後側内壁を貫通した回転ロッドが回転できるように取り付けられ、前記回転ロッドの前側端面にはトーションバネが固定的に取り付けられ、前記トーションバネの前側面と前記トーションバネチャンバの前側内壁とが固定的に取り付けられ、左右の前記回転ロッドの間には水泳メガネベルトが固定的に取り付けられ、前記回転箱の底面には挟みブロックが固定的に取り付けられ、前記挟みブロックの底面には付け心地を増加するゴムブロックが固定的に取り付けられ、前記挟みブロックの中にはスライドチャンバが前後対称的に設置され、前記スライドチャンバの中にはスライドブロックがスライドできるように取り付けられ、前後の前記スライドブロックには引きブロックが固定的に連結され、前記水泳メガネベルトは前記引きブロックと前記挟みブロックとの間を通り抜け、前記引きブロックと前記挟みブロックとによって前記水泳メガネベルトをきつく挟み、前記水泳メガネベルトが滑ることを防止し、前記挟みブロックの中にはまた前記スライドブロックの移動を制限できる制限機構が設置され、前記回転箱には連結ロッドが固定的に取り付けられ、前記連結ロッドにはフレームが固定的に取り付けられ、前記フレームの頂面の中には水泳メガネレンズが設置され、前記フレームの底面には防水シートが固定的に取り付けられ、前記水泳メガネレンズの下方には空き溝が設置され、前記空き溝の左右両側の内壁の中にはレンズ溝が設置され、左右の前記レンズ溝の中には度数付きの近視用レンズがしまりばめによって取り付けられ、左右の前記フレームの間には左右の前記フレームの間の距離を調整できる調整機構が設置されたことを特徴とする泳ぐ人用の近視メガネ。
【請求項２】
前記制限機構は前記挟みブロックの中に前後対称的に設置された押しボタン溝を含み、前記押しボタン溝の中には押しボタンがスライドできるように取り付けられ、前記押しボタンには推し動かしロッドが固定的に取り付けられ、前記推し動かしロッドと前記挟みブロックとがスライドできるように取り付けられ、前記押しボタンと前記押しボタン溝との間には第一ばねが固定的に取り付けられ、前記押しボタン溝の片側には推し動かしチャンバが設置され、前記推し動かしチャンバの頂壁と底壁との間には補助ロッドが回転できるように取り付けられ、前記補助ロッドには伝動ロッドが固定的に取り付けられ、前記スライドブロックの中には引っ掛かり溝が設置され、前記挟みブロックの中には前記引っ掛かり溝と連通できるばねチャンバが設置され、前記ばねチャンバの中には引っ掛かりブロックがスライドできるように取り付けられ、前記引っ掛かりブロックと前記ばねチャンバとの間には第二ばねが固定的に取り付けられ、前記引っ掛かりブロックには移動ロッドが固定的に取り付けられ、前記移動ロッドと前記挟みブロックとがスライドできるように取り付けられ、前記移動ロッドにはヒンジブロックがヒンジで取り付けられ、前記伝動ロッドの中には移動溝が設置され、前記移動溝と前記ヒンジブロックとがスライドできるように取り付けられたことを特徴とする請求項１に記載の泳ぐ人用の近視メガネ。
【請求項３】
前記調整機構は前記フレームの中に設置された補助チャンバを含み、前記補助チャンバの中にはネジ山ブロックがスライドできるように取り付けられ、前記ネジ山ブロックの中にはネジ穴が設置され、左右の前記フレームの間には回転ブロックが設置され、前記回転ブロックの左右両側にはネジロッドが固定的に取り付けられ、前記ネジロッドと前記ネジ穴とがネジ山によって取り付けられ、前記ネジ山ブロックには補助チャンバが上下対称的に固定的に取り付けられ、前記回転ブロックの左右両側には補助ブロックがスライドできるように取り付けられ、前記補助ブロックの中には伸縮チャンバが上下対称的に設置され、前記ネジ山ブロックには伸縮ロッドが上下対称的に固定的に取り付けられ、前記伸縮チャンバと前記伸縮ロッドとがスライドできるように取り付けられたことを特徴とする請求項１に記載の泳ぐ人用の近視メガネ。
【発明の詳細な説明】
【技術分野】
【０００１】
本発明はメガネ分野に関わり、具体的には泳ぐ人用の近視メガネである。
【背景技術】
【０００２】
一般的に、泳ぐ人用の近視メガネは水泳メガネベルトによって頭部をきつく挟み、使用者は自分の頭のサイズによって水泳メガネを調整することが難しく、水泳メガネベルトは頭部を引き締めすぎて脳が酸素不足になる恐れがあり、しかも、普通の泳ぐ人用の近視メガネは二つのフレームの間の距離を調節できない。
【先行技術文献】
【特許文献】
【０００３】
【特許文献１】中国特許出願公開第１０６７９９０２０号明細書
【発明の概要】
【発明が解決しようとする課題】
【０００４】
本発明は泳ぐ人用の近視メガネを提供し、既存技術にある上記欠点を解消することを目的とする。
【課題を解決するための手段】
【０００５】
本発明の実施例の泳ぐ人用の近視メガネは、左右対称の回転箱を含み、前記回転箱の中には回転チャンバが設置され、前記回転チャンバの前側にはトーションバネチャンバが設置され、前記回転チャンバの後側内壁の中には前記トーションバネチャンバの後側内壁を貫通した回転ロッドが回転できるように取り付けられ、前記回転ロッドの前側端面にはトーションバネが固定的に取り付けられ、前記トーションバネの前側面と前記トーションバネチャンバの前側内壁とが固定的に取り付けられ、左右の前記回転ロッドの間には水泳メガネベルトが固定的に取り付けられ、前記回転箱の底面には挟みブロックが固定的に取り付けられ、前記挟みブロックの底面には付け心地を増加するゴムブロックが固定的に取り付けられ、前記挟みブロックの中にはスライドチャンバが前後対称的に設置され、前記スライドチャンバの中にはスライドブロックがスライドできるように取り付けられ、前後の前記スライドブロックには引きブロックが固定的に連結され、前記水泳メガネベルトは前記引きブロックと前記挟みブロックとの間を通り抜け、前記引きブロックと前記挟みブロックとによって前記水泳メガネベルトをきつく挟み、前記水泳メガネベルトが滑ることを防止し、前記挟みブロックの中にはまた前記スライドブロックの移動を制限できる制限機構が設置され、前記回転箱には連結ロッドが固定的に取り付けられ、前記連結ロッドにはフレームが固定的に取り付けられ、前記フレームの頂面の中には水泳メガネレンズが設置され、前記フレームの底面には防水シートが固定的に取り付けられ、前記水泳メガネレンズの下方には空き溝が設置され、前記空き溝の左右両側の内壁の中にはレンズ溝が設置され、左右の前記レンズ溝の中には度数付きの近視用レンズがしまりばめによって取り付けられ、左右の前記フレームの間には左右の前記フレームの間の距離を調整できる調整機構が設置された。
【０００６】
さらなる技術プランには、前記制限機構は前記挟みブロックの中に前後対称的に設置された押しボタン溝を含み、前記押しボタン溝の中には押しボタンがスライドできるように取り付けられ、前記押しボタンには推し動かしロッドが固定的に取り付けられ、前記推し動かしロッドと前記挟みブロックとがスライドできるように取り付けられ、前記押しボタンと前記押しボタン溝との間には第一ばねが固定的に取り付けられ、前記押しボタン溝の片側には推し動かしチャンバが設置され、前記推し動かしチャンバの頂壁と底壁との間には補助ロッドが回転できるように取り付けられ、前記補助ロッドには伝動ロッドが固定的に取り付けられ、前記スライドブロックの中には引っ掛かり溝が設置され、前記挟みブロックの中には前記引っ掛かり溝と連通できるばねチャンバが設置され、前記ばねチャンバの中には引っ掛かりブロックがスライドできるように取り付けられ、前記引っ掛かりブロックと前記ばねチャンバとの間には第二ばねが固定的に取り付けられ、前記引っ掛かりブロックには移動ロッドが固定的に取り付けられ、前記移動ロッドと前記挟みブロックとがスライドできるように取り付けられ、前記移動ロッドにはヒンジブロックがヒンジで取り付けられ、前記伝動ロッドの中には移動溝が設置され、前記移動溝と前記ヒンジブロックとがスライドできるように取り付けられた。
【０００７】
さらなる技術プランには、前記調整機構は前記フレームの中に設置された補助チャンバを含み、前記補助チャンバの中にはネジ山ブロックがスライドできるように取り付けられ、前記ネジ山ブロックの中にはネジ穴が設置され、左右の前記フレームの間には回転ブロックが設置され、前記回転ブロックの左右両側にはネジロッドが固定的に取り付けられ、前記ネジロッドと前記ネジ穴とがネジ山によって取り付けられ、前記ネジ山ブロックには補助チャンバが上下対称的に固定的に取り付けられ、前記回転ブロックの左右両側には補助ブロックがスライドできるように取り付けられ、前記補助ブロックの中には伸縮チャンバが上下対称的に設置され、前記ネジ山ブロックには伸縮ロッドが上下対称的に固定的に取り付けられ、前記伸縮チャンバと前記伸縮ロッドとがスライドできるように取り付けられた。
【発明の効果】
【０００８】
本発明の有益な効果は：本発明の泳ぐ人用の近視メガネを付ける時、使用者は自分の頭のサイズに応じて水泳メガネベルトの長さを調整でき、水泳メガネベルトは使用者の頭を引き締めすぎて脳が酸素不足などの状況の発生を避け、調整機構は左右のフレームの間の距離を調整でき、普及する価値がある。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【図５】図５は図３の中のＤのところの拡大概略図
【図６】図６は図５の中のＥのところの拡大概略図
【発明を実施するための形態】
【００１１】
図１〜６を参照し、本発明の実施例の泳ぐ人用の近視メガネは、左右対称の回転箱１２を含み、前記回転箱１２の中には回転チャンバ１１が設置され、前記回転チャンバ１１の前側にはトーションバネチャンバ２７が設置され、前記回転チャンバ１１の後側内壁の中には前記トーションバネチャンバ２７の後側内壁を貫通した回転ロッド２６が回転できるように取り付けられ、前記回転ロッド２６の前側端面にはトーションバネ２８が固定的に取り付けられ、前記トーションバネ２８の前側面と前記トーションバネチャンバ２７の前側内壁とが固定的に取り付けられ、左右の前記回転ロッド２６の間には水泳メガネベルト２５が固定的に取り付けられ、前記回転箱１２の底面には挟みブロック１５が固定的に取り付けられ、前記挟みブロック１５の底面には付け心地を増加するゴムブロック１４が固定的に取り付けられ、前記挟みブロック１５の中にはスライドチャンバ１７が前後対称的に設置され、前記スライドチャンバ１７の中にはスライドブロック１６がスライドできるように取り付けられ、前後の前記スライドブロック１６には引きブロック１３が固定的に連結され、前記水泳メガネベルト２５は前記引きブロック１３と前記挟みブロック１５との間を通り抜け、前記引きブロック１３と前記挟みブロック１５とによって前記水泳メガネベルト２５をきつく挟み、前記水泳メガネベルト２５が滑ることを防止し、前記挟みブロック１５の中にはまた前記スライドブロック１６の移動を制限できる制限機構７０が設置され、前記回転箱１２には連結ロッド２４が固定的に取り付けられ、前記連結ロッド２４にはフレーム２３が固定的に取り付けられ、前記フレーム２３の頂面の中には水泳メガネレンズ２２が設置され、前記フレーム２３の底面には防水シート１９が固定的に取り付けられ、前記水泳メガネレンズ２２の下方には空き溝１８が設置され、前記空き溝１８の左右両側の内壁の中にはレンズ溝２１が設置され、左右の前記レンズ溝２１の中には度数付きの近視用レンズ２０がしまりばめによって取り付けられ、左右の前記フレーム２３の間には左右の前記フレーム２３の間の距離を調整できる調整機構８０が設置された。
【００１２】
前記制限機構７０は前記挟みブロック１５の中に前後対称的に設置された押しボタン溝４４を含み、前記押しボタン溝４４の中には押しボタン４５がスライドできるように取り付けられ、前記押しボタン４５には推し動かしロッド５０が固定的に取り付けられ、前記推し動かしロッド５０と前記挟みブロック１５とがスライドできるように取り付けられ、前記押しボタン４５と前記押しボタン溝４４との間には第一ばね４６が固定的に取り付けられ、前記押しボタン溝４４の片側には推し動かしチャンバ４２が設置され、前記推し動かしチャンバ４２の頂壁と底壁との間には補助ロッド４７が回転できるように取り付けられ、前記補助ロッド４７には伝動ロッド４３が固定的に取り付けられ、前記スライドブロック１６の中には引っ掛かり溝４０が設置され、前記挟みブロック１５の中には前記引っ掛かり溝４０と連通できるばねチャンバ３９が設置され、前記ばねチャンバ３９の中には引っ掛かりブロック４１がスライドできるように取り付けられ、前記引っ掛かりブロック４１と前記ばねチャンバ３９との間には第二ばね３８が固定的に取り付けられ、前記引っ掛かりブロック４１には移動ロッド３７が固定的に取り付けられ、前記移動ロッド３７と前記挟みブロック１５とがスライドできるように取り付けられ、前記移動ロッド３７にはヒンジブロック４８がヒンジで取り付けられ、前記伝動ロッド４３の中には移動溝４９が設置され、前記移動溝４９と前記ヒンジブロック４８とがスライドできるように取り付けられ、
水泳メガネベルト２５の長さを調整する時、押しボタン４５を押して第一ばね４６を移動連動させ、第一ばね４６が伝動ロッド４３によって移動ロッド３７を移動連動させ、それによって引っ掛かりブロック４１が引っ掛かり溝４０との引っ掛かりから離脱し、その後、引きブロック１３を引き動かし、更にそれによって水泳メガネベルト２５の長さを調整できる。
【００１３】
前記調整機構８０は前記フレーム２３の中に設置された補助チャンバ３２を含み、前記補助チャンバ３２の中にはネジ山ブロック２９がスライドできるように取り付けられ、前記ネジ山ブロック２９の中にはネジ穴３０が設置され、左右の前記フレーム２３の間には回転ブロック３３が設置され、前記回転ブロック３３の左右両側にはネジロッド３１が固定的に取り付けられ、前記ネジロッド３１と前記ネジ穴３０とがネジ山によって取り付けられ、前記ネジ山ブロック２９には補助チャンバ３２が上下対称的に固定的に取り付けられ、前記回転ブロック３３の左右両側には補助ブロック３４がスライドできるように取り付けられ、前記補助ブロック３４の中には伸縮チャンバ３５が上下対称的に設置され、前記ネジ山ブロック２９には伸縮ロッド３６が上下対称的に固定的に取り付けられ、前記伸縮チャンバ３５と前記伸縮ロッド３６とがスライドできるように取り付けられ、
左右のフレーム２３の距離を調整する時、回転ブロック３３を回転させてネジロッド３１を回転連動させ、ネジロッド３１が回転してネジ山ブロック２９を連動させて補助チャンバ３２の中でスライドさせ、伸縮ロッド３６も伸縮チャンバ３５の中でスライドし、その後、伸縮ロッド３６が伸縮チャンバ３５と当接した時、ネジ山ブロック２９の移動は左右のフレーム２３を互いに離れさせる。
【００１４】
使用の時、水泳メガネベルト２５の長さを調整する時、押しボタン４５を押して第一ばね４６を移動連動させ、第一ばね４６が伝動ロッド４３によって移動ロッド３７を移動連動させ、それによって引っ掛かりブロック４１が引っ掛かり溝４０との引っ掛かりから離脱し、その後、引きブロック１３を引き動かし、更にそれによって水泳メガネベルト２５の長さを調整でき、引きブロック１３と挟みブロック１５とが水泳メガネベルト２５をきつく挟み、水泳メガネベルト２５が滑ることを防止し、左右のフレーム２３の距離を調整する時、回転ブロック３３を回転させてネジロッド３１を回転連動させ、ネジロッド３１が回転してネジ山ブロック２９を連動させて補助チャンバ３２の中でスライドさせ、伸縮ロッド３６も伸縮チャンバ３５の中でスライドし、その後、伸縮ロッド３６が伸縮チャンバ３５と当接した時、ネジ山ブロック２９の移動は左右のフレーム２３を互いに離れさせる。
【００１５】
本発明の有益な効果は：本発明の泳ぐ人用の近視メガネを付ける時、使用者は自分の頭のサイズに応じて水泳メガネベルトの長さを調整でき、水泳メガネベルトは使用者の頭を引き締めすぎて脳が酸素不足などの状況の発生を避け、調整機構は左右のフレームの間の距離を調整でき、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182802.tif 000003
【図２】
2020182802.tif 000004
【図３】
2020182802.tif 000005
【図４】
2020182802.tif 000006
【図５】
2020182802.tif 000007
【図６】
2020182802.tif 000008